【事件の表示】
　特許第２８０３７９２号「アクティブマトリクス型液晶表示装置」の請求項１ないし４に係る特許に対する特許異議の申立てについて、次のとおり決定する。
【結論】
　訂正を認める。
　特許第２８０３７９２号の請求項１に係る特許を維持する。
【理由】
１．手続の経緯
　特許第２８０３７９２号の発明は、平成４年８月２８日に特許出願され、平成１０年７月１７日にその特許の設定の登録がなされ、その後、セイコーエプソン株式会社により特許異議の申立がなされ、取消理由通知がなされ、その指定期間内である平成１１年４月１５日に訂正請求がなされ、さらに訂正拒絶理由通知がなされ、平成１１年１１月１１日に手続補正がなされたものである。
２．訂正の適否に対する判断
（１）補正の適否
　上記手続補正は、訂正明細書の特許請求の範囲の請求項１に係る発明の構成をさらに限定すると共に、それに伴って、発明の詳細な説明の記載を補正するものであるから、訂正請求書の要旨を変更するものではなく、特許法第１２０条の４第３項で準用する同法第１３１条第２項の規定に適合するので、上記補正を採用する。
（２）訂正の内容
　▲１▼訂正事項ａ
　特許明細書の特許請求の範囲の請求項２乃至４を削除し、【請求項１】を次のように訂正する。
「【請求項１】対向配置される一対の絶縁性基板の間に液晶層が挟持され、該一対の絶縁性基板の一方の液晶層側の面に絵素電極がマトリクス状に配設されているとともに、各絵素電極の周囲を通って複数の走査信号配線と複数のデータ信号配線とが互いに交差して配設され、さらに両信号配線の交差部の近傍に設けられたスイッチング素子が絵素電極に接続されたアクティブマトリクス型液晶表示装置であって、
　該絵素電極がマトリクス状に設けられた表示領域の外側に、該表示領域を囲み、かつ、該一対の絶縁性基板ではさんで設けられたシール部材により該液晶が封止され、各走査信号配線と各データ信号配線とがシール部材の外側に延出されているとともに、各走査信号配線と各データ信号配線のそれぞれのシール部材と重なる部分には、該データ信号配線と同材料の金属で形成され、かつ、該走査信号配線もしくはデータ信号配線と同一面上に形成された複数本の分岐線が構成されているアクティブマトリクス型液晶表示装置。」
　▲２▼訂正事項ｂ
　明細書の課題を解決するための手段中の『各走査信号配線と各データ信号配線のそれぞれのシール部材と重なる部分が複数本の分岐線で構成』を『各走査信号配線と各データ信号配線のそれぞれのシール部材と重なる部分には、該データ信号配線と同材料の金属で形成され、かっ、該走査信号配線もしくはデータ信号配線と同一面上に形成された複数本の分岐線が構成』と訂正する。
　▲３▼訂正事項ｃ
　明細書の課題を解決するための手段中の【００１４】〜【００１６】「また、前記シール部材と・・・設けられていてもよい。」を削除する。
　▲４▼訂正事項ｄ
　明細書の第３実施例中の『この実施例においては、配線に走査信号配線１と同じ層のものを用い、分岐線にデータ信号配線２と同じ層のものを用いたが、配線にデータ信号配線２と同じ層のものを用い、分岐線に走査信号配線１と同じ層のものを用いてもよい。』を『この実施例においては、配線に走査信号配線１と同じ層のものを用い、分岐線にデータ信号配線２と同じ層のものを用いた。』と訂正する。
（３）訂正の目的の適否、新規事項の有無及び拡張・変更の存否
　上記訂正事項ａは、特許請求の範囲の請求項２乃至４を削除すると共に、請求項１の「複数本の分岐線」の構成をさらに具体的に限定するものであり、特許請求の範囲の減縮に該当し、実質的に特許請求の範囲を拡張しまたは変更するものではない。又、分岐線を走査信号配線もしくはデータ信号配線と同一面上に形成することは、複数本の分岐線を設ける第１の実施例（特許明細書の【００１９】〜【００２５】参照）に関する記載及びそれを示す図２に記載されていると認められるから新規事項の追加に該当しない。
　また、上記訂正事項ｂ〜ｄは、前記特許請求の範囲の訂正に伴って、発明の詳細な説明の（課題を解決するための手段）を訂正するものであり、明りょうでない記載の釈明に該当し、実質的に特許請求の範囲を拡張しまたは変更するものではなく、新規事項を追加するものでもない。
（４）独立特許要件の判断
（４．１）本件発明
　訂正明細書の請求項１に係る発明（以下、本件発明という）は、その特許請求の範囲の請求項１に記載された事項により特定されるとおりのものある。（上記訂正事項ａ参照。）
（４．２）刊行物記載の発明
　訂正拒絶理由に引用した刊行物１：特開平３−２４１３２０号公報には、シールの外力によって電極の断線が起こっても電極の導通が保てることを目的とした、本件発明が前提とするアクティブマトリクス型液晶表示素子に関し、次の事項が記載されている。
「第１図と第２図において、被覆層２の上に設けられる縞状の電極３に対向し、シール５が横切る基板１の上に長さ２．５ｍｍの側路電極が、・・・設けられている。そして、基板１に被着された被覆層２には、側路電極４の端部の、シール５の内側に位置する内接続部４ａと、シール５の外側に位置する外接続部４ｂのそれぞれが露出するように、エッチングによって例えば０．２５ｍｍφの内バイアホール２ａと外バイアホール２ｂが設けられる。そして、ＩＴＯ膜を被覆層２全面に被着して縞状にエッチングし、電極３を構成したとき、内・外バイアホール２ａ、２ｂのそれぞれを通して側路電極４の内・外接続部４ａ、４ｂが導通されるようになっている。そこで、シール５が側路電極４の中央部分を横切るようにすれば、シール５の外力によって、電極３が断線しても、内バイアホール２ａ→内接続部４ａ→側路電極４→外接続部４ｂ→外バイアホール２ｂ→導出端子３ａを通って導通を保つことができる。」（５頁右下欄１６行〜６頁左上欄１５行）。
　同じく引用された刊行物である参考資料１〜３（特開平１−２６５２２９号公報、特開平１−２６５２３１号公報及び特開平１−２６７５１８号公報）には、液晶表示装置の走査線及びゲート電極となるポリシリコン膜の膜厚に関する記載がある。
　同じく、参考資料４（特開昭５８−１９６０３４号公報）には、表示装置用駆動回路基板において、断線確率を低下することを目的とし、「アクティブマトリクス型表示装置に関し、多結晶シリコンによるアドレスライン６はデータライン９との交差部およびその近傍を除く部分についてはアルミニウム膜８により二重配線されている。１１はこの二重配線を行うために層間絶縁膜７にあけられたコンタクトホールである。なお、二重配線のためのアルミニウム膜９は、データライン９のアルミニウム膜配線形成時に同時に形成できることはいうまでもない。」（２頁左下欄１０〜１８行）と記載されている。
　同じく、参考資料５，６（特開昭６１−４８８９３号公報、特開昭６１−１４０２９６号公報）には、アクティブマトリクスが形成されている基板上に走査線もしくはデータ線のドライバーを形成する技術が開示されている。
（４．３）対比・判断
　そこで、本件発明と上記刊行物１記載の発明及び上記参考資料１〜６記載の事項とを対比するに、刊行物１及び参考資料４記載の発明は、断線等の不良の発生を防止するという課題で共通する。しかし、これらは、絶縁性の膜等を介在して上下に設けられた配線がバイアホール等で接続されるものであり、本件発明の構成要件である「各走査信号配線と各データ信号配線のそれぞれのシール部材と重なる部分には、該走査信号配線もしくはデータ信号配線と同一面上に形成された複数本の分岐線が構成されている」点が記載されておらず、示唆されてもいない。
　そして、この点は、上記他の参考資料にも記載されておらず、又、当該技術分野において周知の技術であると認めるべき証拠もない。
　したがって、本件発明は刊行物１及び参考資料１〜６記載の発明及び従来周知の技術に基づいて当業者が容易に発明をすることができたものであるということはできない。
　よって、本件発明は、特許出願の際独立して特許を受けることができるものである。
（５）訂正の適否に対するむすび
　以上のとおりであるから、上記訂正は、特許法第１２０条の４第２項及び第３項で準用する同法第１２６条第２〜４項の規定に適合するので、当該訂正を認める。
３．特許異議の申立てについて
　特許異議申立人セイコーエプソン株式会社は、甲第１号証及び参考資料１〜６を提出し、本件特許発明は、甲第１号証（特開平３−２４１３２０号公報）に記載された発明に基づいて、当業者が容易になし得たものであるから、特許法第２９条第２項の規定に該当し、特許を取り消すべき旨主張している。
　しかし、上記甲第１号証は上記刊行物１と同じであり、参考資料１〜６も上記と同じであるから、本件発明は、上記２．（４）独立特許要件の判断で述べたと同様の理由により、甲第１号証に記載された発明に基づいて、当業者が容易に発明をすることができたものであるということはできない。
　したがって、特許異議の申立の理由及び証拠によっては、本件発明の特許を取り消すことはできない。
　また、他に本件発明の特許を取り消すべき理由を発見しない。
　よって、結論のとおり決定する。
【異議決定日】
平成１１年１２月１５日（１９９９．１２．１５）
【訂正の要旨】
ａ．特許請求の範囲の請求項１中の『各走査信号配線と各データ信号配線のそれぞれのシール部材と重なる部分が複数本の分岐線で構成』を特許請求の範囲の減縮を目的として『各走査信号配線と各データ信号配線のそれぞれのシール部材と重なる部分には、該データ信号配線と同材料の金属で形成され、かつ、該走査信号配線もしくはデータ信号配線と同一面上に形成された複数本の分岐線が構成』と訂正し、請求項２乃至４を削除する。
　それに伴い、特許請求の範囲の記載と発明の詳細な説明の記載との整合を図るため、明瞭でない記載の釈明を目的として、明細書の課題を解決するための手段中の『各走査信号配線と各データ信号配線のそれぞれのシール部材と重なる部分が複数本の分岐線で構成』を『各走査信号配線と各データ信号配線のそれぞれのシール部材と重なる部分には、該データ信号配線と同材料の金属で形成され、かつ、該走査信号配線もしくはデータ信号配線と同一面上に形成された複数本の分岐線が構成』と訂正し、『また、前記シール部材と重なる各走査信号配線部分と各データ信号配線部分とが厚み３００ｎｍ以上で形成されていてもよい。また、前記分岐線の少なくとも一本が走査信号配線と同一面上に形成され、他の分岐線の少なくとも一本がデータ信号配線と同一面上に形成されていてもよい。また、前記走査信号配線および／または前記データ信号配線へ信号を与える駆動回路が同一基板上に設けられていてもよい。』を削除する。
　また、同様に、特許請求の範囲の記載と発明の詳細な説明の記載との整合を図るため、明瞭でない記載の釈明を目的として、明細書の第３の実施例中の『この実施例においては、配線に走査信号配線１と同じ層のものを用い、分岐線にデータ信号配線２と同じ層のものを用いたが、配線にデータ信号配線２と同じ層のものを用い、分岐線に走査信号配線１と同じ層のものを用いてもよい。』を『この実施例においては、配線に走査信号配線１と同じ層のものを用い、分岐線にデータ信号配線２と同じ層のものを用いた。』と訂正する。
（５４）【発明の名称】
アクティブマトリクス型液晶表示装置
（５７）【特許請求の範囲】
　【請求項１】対向配置される一対の絶縁性基板の間に液晶層が挟持され、該一対の絶縁性基板の一方の液晶層側の面に絵素電極がマトリクス状に配設されているとともに、各絵素電極の周囲を通って複数の走査信号配線と複数のデータ信号配線とが互いに交差して配設され、さらに両信号配線の交差部の近傍に設けられたスイッチング素子が絵素電極に接続されたアクティブマトリクス型液晶表示装置であって、
　該絵素電極がマトリクス状に設けられた表示領域の外側に、該表示領域を囲み、かつ、該一対の絶縁性基板ではさんで設けられたシール部材により該液晶が封止され、各走査信号配線と各データ信号配線とがシール部材の外側に延出されているとともに、各走査信号配線と各データ信号配線のそれぞれのシール部材と重なる部分
には、該データ信号配線と同材料の金属で形成され、かつ、該走査信号配線もしくはデータ信号配線と同一面上に形成された複数本の分岐線が
【発明の詳細な説明】
　【０００１】
　【産業上の利用分野】
　本発明は、薄膜トランジスタを有するアクティブマトリクス型液晶表示装置に関する。
　【０００２】
　【従来の技術】
　図５にアクティブマトリクス型液晶表示装置を構成するアクティブマトリクス基板の配線および駆動回路の構成を示す。
　【０００３】
　このアクティブマトリクス基板は絶縁性のベース基板１１３の上に複数の走査信号配線１０１と複数のデーター信号配線１０２とが互いに直交して配設され、隣接する各走査信号配線１０１と各データ信号配線１０２とが囲むそれぞれの領域には、絵素１０７のスイッチング素子である薄膜トランジスタ１０５（ＴｈｉｎＦｉｌｍ　Ｔｒａｎｓｉｓｔｏｒ、以下、ＴＦＴと略称する。）が設けられている。また、絵素１０７と並列に付加容量１０６も設けられており、データ信号はこの絵素１０７と付加容量１０６とに書き込まれる。各絵素１０７および各付加容量１０６のそれぞれのドレイン電極とは別の電極は走査信号配線１０１に平行に配設される一本の付加容量配線１０８に接続されている。これらの付加容量配線１０８はさらに一本の配線に集約され一つの共通電極１１１に接続されている。この共通電極１１１はさらに対向基板（図示せず）上の対向電極（図示せず）に接続されている。全ての絵素１０７を包含する表示領域の周囲には、この表示領域を囲んで樹脂からなる所定の幅のシール部材１１０が形成されており、このシール部材１１０はベース基板１１３に対向配置される対向基板（図示せず）とベース基板１１３との間に液晶を挟んで両基板を接着している。
　【０００４】
　走査信号線駆動回路１０４とデータ信号線駆動回路１０３はそれぞれシール部材１１０が構成する閉領域の外側に設けられる。これは、シール部材１１０とそれぞれの駆動回路１０４、１０３とを重ねて形成すると駆動回路の歩留りが低下するためである。また、付加容量配線１０８の共通電極１１１もシール部材１１０の外側に形成され、対向基板上の対向電極（図示せず）に接続される。
　【０００５】
　この様に走査信号線駆動回路１０４、データ信号線駆動回路１０３、および付加容量配線１０８の共通電極１１１はシール部材１１０の外側に形成されるので、走査信号配線１０１と走査信号線駆動回路１０４とを結ぶ配線、データ信号配線１０２とデータ信号線駆動回路１０３とを結ぶ配線、および付加容量配線１０８と付加容量配線１０８の共通電極１１１とを結ぶ配線はそれぞれシール部材１１０の直下を通る構造となっている。
　【０００６】
　【発明が解決しようとする課題】
　ところで、シール部材１１０の直下に配線を設ける構造のアクティブマトリクス基板では、その製造工程において配線の断線が多く発生し、この構造のアクティブマトリクス基板を有する液晶表示装置の製造の歩留りが低下するという問題がある。この断線の発生の原因を以下に述べる。
　【０００７】
　液晶表示装置の製造工程において、アクティブマトリクス基板とその対向基板をシール部材で貼り合わせる手順は一般的に次のように行われる。
　【０００８】
　まず、対向基板上にシール部材１１０用の樹脂を印刷して所定のパターンを形成する。次にアクティブマトリクス基板と対向基板の水平方向の位置関係を数μｍの精度で位置合わせしつつ貼り合わせ、垂直方向には両基板の間隔が５μｍになるようにプレスする。この場合樹脂中には所望の基板間隔に対応した径を持つファイバー等を混入させておく。そして、所望の位置になったところで樹脂を加熱しＵＶ光等の照射によりこの樹脂を硬化させる。この垂直方向の位置決め時には約２０ｋｇｆ／ｃｍ２という大きな圧力を必要とする。このためシール部材の直下に形成した配線には大きな力が加わることになり、断線等の不良が発生する。
　【０００９】
　断線の起こり易さは、アクティブマトリクス基板の断面構造にもよる。
　【００１０】
　図６にアクティブマトリクス基板のＴＦＴ１０５を含む部分の断面構成の一例を示す。
　【００１１】
　アクティブマトリクス基板は透明な絶縁性のベース基板１１３の上に、ＴＦＴ１０５の半導体部１１４、ＴＦＴ１０５のソース電極１１５ａ、ＴＦＴ１０５のドレイン電極１１５ｂ、および付加容量の下部電極１１６が形成されており、これらを覆うようにして基板全体にゲート絶縁膜１１７が設けられている。このゲート絶縁膜１１７の上にＴＦＴ１０５のゲート電極１１８、付加容量の上部電極１１９が形成されており、これらを覆って層間絶縁膜１２０が基板全面にわたって形成されている。層間絶縁膜１２０の上にデータ信号配線１２１が形成されており、さらにこれを覆って第２の層間絶縁膜１２２が基板全面にわたって形成されている。そして、第２の層間絶縁膜１２２の上に透明導電膜からなる絵素電極１２３がパターン形成されている。この絵素電極１２３はＴＦＴ１０５のドレイン電極１１５ｂ部の形成位置においてゲート絶縁膜１１７、第１の層間絶縁膜、および第２の層間絶縁膜を貫いて形成されているコンタクトホールを介してこのＴＦＴ１０５のドレイン電極１１５ｂに接続されている。シール直下を通る配線は抵抗が低いことが望ましいが、データ信号の遅延、なまりを抑制するためにも更に低抵抗であることが要求され、上記のような断面構造の場合にはこの配線はデータ信号配線と共にＡｌなどの低抵抗金属を用いて形成することが一般的である。また、低抵抗化のためにある程度膜厚を厚くすることが望ましいが、膜厚の厚いＡｌは平坦化することが難しい。従って、この配線が形成された部分は凹凸が激しく、配線の真上にあるシール部材１１０に加えられる力の影響を受け易いので断線が起こり易くなる。シール部材１１０の直下を通る配線は表示部の素子数にもよるが、一般的に数百ないし数千という単位であり、この内の一本でも断線していると表示装置としては致命的な欠陥となる。
　【００１２】
　本発明は、このような従来技術の課題を解決するためになされたものであり、アクティブマトリクス型の液晶表示装置において、アクティブマトリクス基板のシール部材の直下に配設される配線の断線不良の発生を抑制し、歩留りの高い製造が可能な構造のアクティブマトリクス基板を有する液晶表示装置を提供することを目的とする。
　【００１３】
　【課題を解決するための手段】
　本発明のアクティブマトリクス型液晶表示装置は、対向配置される一対の絶縁性基板の間に液晶層が挟持され、該一対の絶縁性基板の一方の液晶層側の面に絵素電極がマトリクス状に配設されているとともに、各絵素電極の周囲を通って複数の走査信号配線と複数のデータ信号配線とが互いに交差して配設され、さらに両信号配線の交差部の近傍に設けられたスイッチング素子が絵素電極に接続されたアクティブマトリクス型液晶表示装置であって、該絵素電極がマトリクス状に設けられた表示領域の外側に、該表示領域を囲み、かつ、該一対の絶縁性基板ではさんで設けられたシール部材により該液晶が封止され、各走査信号配線と各データ信号配線とがシール部材の外側に延出されているとともに、各走査信号配線と各データ信号配線のそれぞれのシール部材と重なる部分
には、該データ信号配線と同材料の金属で形成され、かつ、該走査信号配線もしくはデータ信号配線と同一面上に形成された複数本の分岐線が
　【００１４】
　【作用】
　本発明によれば、アクティブマトリクス型液晶表示装置の各走査信号配線と各データ信号配線とが液晶のシール部材の外側に延出されているとともに、各走査信号配線と各データ信号配線のそれぞれのシール部材と重なる部分を挟む区間に、
データ信号配線と同材料の金属で形成され、かつ、該走査信号配線もしくは、データ信号配線と同一面上に形成された複数本の分岐線が
　【００１５】
　【実施例】
　以下、本発明の実施例を説明する。
　【００１６】
　［第１の実施例］
　図１に本発明によるアクティブマトリクス型液晶表示装置を構成するアクティブマトリクス基板の回路構成の一部を示す。
　【００１７】
　絶縁性のベース基板２０の上に複数の走査信号配線１と複数のデーター信号配線２とが互いに直交して配設され、隣接する各走査信号配線１と各データ信号配線２とが囲むそれぞれの領域には、絵素７のスイッチング素子である薄膜トランジスタ５（Ｔｈｉｎ　Ｆｉｌｍ　Ｔｒａｎｓｉｓｔｏｒ、以下、ＴＦＴと略称する。）が設けられている。この薄膜トランジスタ５はその領域を構成する一方の走査信号配線１とデータ信号配線２とに接続されている。また、各絵素７にはそれぞれの絵素７と並列に付加容量６も設けられており、ＴＦＴ５がオンの時、データ信号はこの絵素７と付加容量６とに書き込まれる。各絵素７および各付加容量６のそれぞれのドレイン電極とは別の電極は走査信号配線１に平行に配設される一本の付加容量配線８に接続されている。これらの付加容量配線８はさらに一本の配線に集約され一つの共通電極１１に接続されている。この共通電極１１はさらに対向基板（図示せず）上の対向電極（図示せず）に接続されている。
　【００１８】
　全ての絵素７を包含する表示領域の周囲には、この表示領域を囲んで樹脂からなる所定の幅のシール部材１０が形成されており、このシール部材１０はベース基板２０に対向配置される対向基板（図示せず）とベース基板２０との間に液晶（図示せず）を挟んで、両基板を接着している。
　【００１９】
　シール部材１０の外側、つまり表示領域の外側には走査信号線駆動回路４とデータ信号線駆動回路３および付加容量配線８の共通電極１１が設けられており、走査信号配線１と走査信号線駆動回路４とを結ぶ配線、データ信号配線２とデータ信号線駆動回路３とを結ぶ配線、および付加容量配線８と付加容量配線８の共通電極１１とを結ぶ配線はそれぞれシール部材１０の直下を通る。シール部材１０の直下を通過する配線はデータ信号配線２と同じ低抵抗金属を用いて形成されるが、この区間の配線のそれぞれには、この配線の分岐線１２が設けられてる。
　【００２０】
　図２はこのシール部材１０の直下を通る配線とその分岐線１２の構造を詳細に示している。配線の分岐線１２は配線に平行に走り、分岐線１２が配線から分岐する二箇所の分岐点はそれぞれシール部材１０の内側（表示領域側）と外側に設けられている。このような構造のため、配線とその分岐線１２の内のいずれかが断線しても残りの道筋の配線あるいは分岐線１２が断線しなければ、表示装置としては不良とならない。
　【００２１】
　従ってこの配線および分岐線１２には低抵抗化のために膜厚の厚い配線を用いても良好な歩留りが得られることが期待でき、データ信号配線２と同じ低抵抗金属を用いて３００ｎｍ以上の厚みのものを用いることも可能である。
　【００２２】
　本実施例では一つの配線に対して一本だけの分岐線１２を設ける構造としたが一つの配線に対して複数本の分岐線１２を設けても良い。
　【００２３】
　［第２の実施例］
　第２の実施例においては、図３に示すようにシール部材１０直下の区間にある配線とこの配線に平行に走る分岐線１２の間に、配線の走る方向に垂直に複数の分岐路１３を設け、これらの分岐路１３によって配線と分岐線１２をつないでいる。従って、第１の実施例のようにシール部材１０直下の配線の分岐線１２が配線に平行に走る道筋だけの構造であるのに比べて迂回路が増えるので、断線不良を回避できる確率が高くなっている。
　【００２４】
　［第３の実施例］
　図４に本発明の第３の実施例によるシール部材１０直下の配線構造を示す。
　【００２５】
　第３の実施例においては、図４（ａ）に示すように走査信号配線１と同じ層において形成される配線に、この配線のシール部材１０の外側と内側の地点に設けられたコンタクトホール１４を介してデータ信号配線２と同じ層で形成された分岐線１２を並列に接続している。この実施例においては、配線に走査信号配線１と同じ層のものを用い、分岐線にデータ信号配線２と同じ層のものを用いた。図４（ｂ）はコンタクトホール１４をシール部材１０の外側と内側だけでなく、シール部材１０の直下の区間にも設ける場合を示している。第３の実施例の（ｂ）の場合も第１の実施例に比べてシール部材１０直下の配線の迂回路が増える構造であるので、断線不良を回避できる確立が高くなっている。
　【００２６】
　また、第３の実施例においてはシール部材１０直下の配線の一方を走査信号線１と同じ層において形成するが、この走査信号線１はＳｉを用いて形成されることが多く、ｓｉは金属に比べて耐熱性が高く、より高温のプロセスを用いることができるため、その断差を平坦化し易い。従って、第３の実施例においてＳｉを用いて形成される配線はその平坦化が容易に行え、シール部材１０に圧力を加えて基板を接着させる際に配線に加わる不均一な力の発生を抑制することができ、上記の構造と相まってシール部形成時の断線の発生をさらに抑さえることが期待できる。
　【００２７】
　【発明の効果】
　以上、詳述したように本発明のアクティブマトリクス基板の構成によれば、シール樹脂の直下に配設される配線のそれぞれに複路が設けられるので、各配線とその複路のいずれかが断線しても他方が断線しなければ不良とはならないので、製造工程中における断線不良の発生を抑制できる。従って、本発明のアクティブマトリクス基板の構成によれば断線不良の少ない液晶表示装置を歩留り高く製造できる。
【図面の簡単な説明】
　【図１】
　本発明による液晶表示装置のアクティブマトリクス基板の配線及び回路構成を示す図。
　【図２】
　本発明の第１の実施例によるアクティブマトリクス基板のシール部材直下の配線とその分岐線を示す図。
　【図３】
　本発明の第２の実施例によるアクティブマトリクス基板のシール部材直下の配線とその分岐線を示す図。
　【図４】
　本発明の第３の実施例によるアクティブマトリクス基板のシール部材直下の配線とその分岐線を示す図。（ａ）はコンタクトホール１４をシール部材１０の両側にのみ設ける場合を示し、（ｂ）はコンタクトホール１４をシール部材１０の直下の区間にも設ける場合を示す。
　【図５】
　従来例によるアクティブマトリクス基板の配線及ぴ駆動回路構成を示す図。
　【図６】
　アクティブマトリクス基板のＴＦＴを含む部分の断面図。
　【符号の説明】
１　走査信号配線
２　データ信号配線
３　データ信号線駆動回路
４　走査信号線駆動回路
５　薄膜トランジスタ（ＴＦＴ）
６　付加容量
７　絵素
８　付加容量配線
１０　シール部材
１１　共通電極
１２　配線の分岐線
１３　分岐線の分岐路
１４　コンタクトホール
２０　ベース基板